(57)【要約】【課題】  カメラの電源スイッチがオフの場合でも記録媒体が書き込み許可状態か禁止状態かが分かるようにする。【解決手段】  カメラは、記録媒体に設けられたメカスイッチの状態に基づいて書き込み許可状態か禁止状態かを判定する。そして、書き込み許可状態であれば残りの撮影可能駒数を表示し、書き込み禁止状態であれば、残りの撮影可能枚数の表示（残駒表示）に代えて警告を行う。残駒表示および書き込み禁止の旨の警告は、いずれも電源スイッチのオン・オフに拘わらずなされる。【選択図】        図５
2006238174.tif 000002
【特許請求の範囲】
【請求項１】
書き込み禁止状態を設定可能な記録媒体を使用するデジタルカメラにおいて、
前記記録媒体が書き込み禁止状態か否かを判定する判定手段と、
書き込み禁止状態であると判定された場合は、電源スイッチのオン・オフに拘わらず警告を行う制御手段とを具備することを特徴とするデジタルカメラ。
【請求項２】
前記制御手段は、前記記録媒体が書き込み許可状態であれば、当該記録媒体の残りの撮影可能駒数を報知し、書き込み禁止状態であれば、前記残りの撮影可能枚数の報知に代えて前記警告を行うことを特徴とする請求項１に記載のデジタルカメラ。
【請求項３】
前記判定手段は、前記記録媒体に設けられたメカスイッチの状態に基づいて書き込み許可状態か禁止状態かを判定することを特徴とする請求項１または２に記載のデジタルカメラ。
【発明の詳細な説明】
【技術分野】
【０００１】
本発明は、書き込み禁止設定が可能な記録媒体を扱うデジタルカメラに関する。
【背景技術】
【０００２】
デジタルカメラで扱うことが可能な画像記録媒体として、誤消去防止用のプロテクトスイッチを設けたメモリカードがある。プロテクトスイッチが書き込み禁止位置にあるとき、カメラは当該メモリカードへのデータの書き込み、データの消去、フォーマットを禁止する（例えば、特許文献１参照）。
【０００３】
【特許文献１】特開2004-342075号公報
【発明の開示】
【発明が解決しようとする課題】
【０００４】
メモリカードが書き込み禁止状態にあるとき（プロテクトスイッチが書き込み禁止位置にあるとき）、カメラはその旨の警告を行うことでユーザに報知する必要があるが、電源オフ時には警告がなされないため、ユーザは電源スイッチをオンするまでその旨を知ることができない。
【課題を解決するための手段】
【０００５】
本発明は、書き込み禁止状態を設定可能な記録媒体を使用するデジタルカメラに適用される。そして、記録媒体が書き込み禁止状態か否かを判定する判定手段と、書き込み禁止状態であると判定された場合は、電源スイッチのオン・オフに拘わらず警告を行う制御手段とを具備する。
請求項２の発明は、記録媒体が書き込み許可状態であれば、当該記録媒体の残りの撮影可能駒数を報知し、書き込み禁止状態であれば、残りの撮影可能枚数の報知に代えて警告を行うものである。
請求項３の発明は、記録媒体に設けられたメカスイッチの状態に基づいて書き込み許可状態か禁止状態かを判定するものである。
【発明の効果】
【０００６】
本発明によれば、記録媒体が書き込み禁止状態であると判定された場合は、電源スイッチのオン・オフに拘わらず警告を行うようにしたので、ユーザはたとえカメラの電源がオフであっても書き込み禁止か否かを知ることができる。
【発明を実施するための最良の形態】
【０００７】
図１〜図１０により本発明の一実施の形態を説明する。
図１は本実施形態におけるデジタルカメラの背面図である。カメラボディ１の背面には、画像やメニュー画面等をカラー表示可能な液晶モニタ２が設けられている。図は記録媒体としてのメモリカードがロック（プロテクト）されている旨を警告表示する例を示しているが、これについては後で詳述する。またカメラ上面には、図２に示すような液晶パネル３が設けられている。液晶パネル３は、予め決められた複数の液晶セグメントを用いて絞り値・シャッタ秒時などの撮影条件や、電池残量、残りの撮影可能駒数などを表示する。
【０００８】
図３は本実施形態におけるデジタルカメラの制御ブロックである。電源制御用のマイコン１１には、上述した液晶モニタ２と、液晶パネル３と、ＤＣ／ＤＣコンバータ１２と、電源スイッチ（メインスイッチ）１３と、カードディテクタ１４とが接続されている。カードディテクタ１４は、不図示のカードスロットにメモリカード２０が装填されているか否かを検出する検出器と、メモリカード２０がプロテクトされているか否かを検出する検出器とを含み、これらの検出結果をマイコン１１に入力する。
【０００９】
マイコン１１は、電源スイッチ１３のオン・オフに拘わらず常時給電され、電源スイッチ１３がオフであっても液晶モニタ２や液晶パネル３に情報を表示したり、その他の幾つかの動作を行うことができる。電源スイッチ１３のオンを認識すると、マイコン１１は全カメラ動作を可能とすべくＤＣ／ＤＣコンバータ１２を起動する。ＤＣ／ＤＣコンバータ１２は、マイコン１１からの起動指示を受けて動作を開始し、電源電池の電圧を通常のカメラ動作に必要な電圧レベルに電圧変換し、不図示のシーケンス回路に電源供給する。シーケンス回路は、カメラ動作を制御するマイコン１１や、それによって制御される測距回路，測光回路などを指し、これらに給電されることで通常のカメラ動作が可能となる。電源スイッチ１３がオフされると、マイコン１１はＤＣ／ＤＣコンバータ１２を停止し、シーケンス回路への給電を断つ。
【００１０】
次に、メモリカード２０のプロテクト（書き込み禁止）について説明する。
本実施形態のカメラは、図４に示すようなプロテクトスイッチ付きのメモリカード２０が使用可能である。プロテクトスイッチ２１は、手動により図４（ａ）に示す書き込み許可位置と、図４（ｂ）に示す書き込み禁止位置とにスライド可能なメカスイッチである。上述したカードディテクタ１４は、プロテクトスイッチ２１の位置を読み取る検出器を有し、その位置を示す信号をマイコン１１に入力する。マイコン１１は、その位置信号に基づいてプロテクトの有無を判断し、プロテクトされていればカードへの情報の書き込みや、カードに記録されているデータの消去、およびカードのフォーマットを禁止する。そして、電源スイッチ１３のオン・オフに拘わらずカードがプロテクトされている旨の警告を行う。警告は、例えば図１に示すように液晶モニタ２に警告表示を行うことで行う。警告内容はこれに限定されず、例えば書き込み・消去ができない旨のメッセージや、プロテクトスイッチ２１のアンロック位置への切換えを促すメッセージでもよい。
【００１１】
図５はカードプロテクトおよびその警告を含む制御の手順を示すフローチャートである。
カメラに電源電池が装填されると、電池から給電を受けて電源制御用のマイコン１１が起動し、図５のプログラムを実行する。まずステップＳ１でＤＣ／ＤＣコンバータ１２を起動し、各回路に給電する。このように電源電池を装填したときには、電源スイッチ１３のオン・オフに拘わらずいったんはカメラが電源オン状態となる。
【００１２】
その後、ステップＳ２でカードディテクタ１４の出力を読み取り、ステップＳ３でメモリカード２０の装填の有無を判定する。カードが装填されている場合には、ステップＳ４でプロテクトの有無を判定する。プロテクトされていなければ、つまり書き込み許可であれば、ステップＳ５でカードの内部をチェックして空き容量を検知し、それに基づいて残りの撮影可能駒数を求め、これを液晶パネル３に表示する（残駒表示）。残駒表示の表示例を図６に示す。なお、残駒は画像サイズやクオリティによって異なる。
【００１３】
一方、装填されたカードがプロテクトされている場合にはステップＳ６に進み、例えば図１のようなプロテクト警告表示を行う。このとき、液晶パネル３上には残駒表示はなされない。このようにすることで、ユーザは残駒表示がなされていることをもって撮影許可状態であることを認識できる。
【００１４】
カード非装填の場合には、ステップＳ７で液晶パネル３にカード非装填の旨の表示を行う。これは例えば、液晶パネル３に図７のような「−Ｅ−」の文字（Emptyを表す）を表示すればよい。なお、このとき残駒表示やプロテクト警告が解除されることはいうまでもない。
【００１５】
ステップＳ８では電源スイッチ１３のオン・オフを判定し、オンであればステップＳ９でＤＣ／ＤＣコンバータ１２を起動する（既に起動されている場合は改めで起動はしない）。ステップＳ１０では、カメラを動作を行うための何らかの操作がなされたか否かを判定する。操作がなされていなければステップＳ２に戻り、操作がなされるとステップＳ１１でその操作に基づくカメラ動作（例えば、撮影や画像再生、各種設定など）を行い、次いでステップＳ２に戻る。一方、電源スイッチ１３がオフの場合は、ステップＳ１２でＤＣ／ＤＣコンバータ１２を停止してステップＳ２に戻る。
【００１６】
フローから分かるように、ステップＳ２〜Ｓ７の処理は、電源スイッチ１３のオン・オフに拘わらず行われるので、ユーザは電源スイッチ１３のオン・オフに拘わらず残駒やプロテクトの有無を知ることができる。
【００１７】
なお、図８および図９に示すように、プロテクト警告は液晶パネル３で行ってもよい。いずれの表示も"Card Protected"を表すが、図８では残駒表示が行われる箇所に警告表示を行い、図９では別の箇所に警告表示を行うとともに、残駒表示箇所には横棒を表示する。また、従来から設けられているカードアクセスランプでプロテクト警告をも行えるようにしてもよい。この場合は、例えば図１０のように２色発光が可能なＬＥＤ５０を用い、通常のカードアクセス中は緑色表示を行い、プロテクト警告は赤色表示で行うようにすればよい。
【００１８】
さらに警告は表示に限定されず、ブザー音や音声などで行ってもよく、またカメラを振動させることで行ってもよい。
【図面の簡単な説明】
【００１９】
【図１】本発明の一実施形態におけるデジタルカメラの背面図。
【図２】カメラ上面の液晶パネルを示す図。
【図３】カメラの制御系を示すブロック図。
【図４】プロテクトスイッチ付きのメモリカードを示す図。
【図５】電源制御用マイコンの処理手順を示すフローチャート。
【図６】液晶パネルによる残駒表示の例を示す図。
【図７】液晶パネルによるカード非装填の表示例を示す図。
【図８】液晶パネルによるプロテクト警告の表示例を示す図。
【図９】プロテクト警告の他の表示例を示す図。
【図１０】２色のＬＥＤでによるプロテクト警告を説明する図。
【符号の説明】
【００２０】
１  カメラボディ
２  液晶モニタ
３  液晶パネル
１１  電源制御用マイコン
１２  ＤＣ／ＤＣコンバータ
１３  電源スイッチ
１４  カード角ディテクタ
２０  メモリカード
２１  プロテクトスイッチ
５０  ＬＥＤ
【図１】
2006238174.tif 000003
【図２】
2006238174.tif 000004
【図３】
2006238174.tif 000005
【図４】
2006238174.tif 000006
【図５】
2006238174.tif 000007
【図６】
2006238174.tif 000008
【図７】
2006238174.tif 000009
【図８】
2006238174.tif 000010
【図９】
2006238174.tif 000011
【図１０】
2006238174.tif 000012